(57)【要約】【課題】構造を複雑にすることなく、当該トレーが筐体に対し出し入れされる際に、トレーと筐体との間にフレキシブルケーブルが挟み込まれることを長期に亘って抑制することができる光ディスク装置を提供する。【解決手段】光ディスクを載置するトレー１０と、トレー１０を出し入れ可能に収容する筐体５０と、一端がトレー１０に配設されている部品に電気的に接続され、他端が筐体５０に配設されている部品に電気的に接続されたフレキシブルケーブル４０と、トレー１０に配設され、トレー１０の排出に伴ってトレー排出方向に移動し、トレー１０が所定量排出された際に筐体５０に係止され、トレー１０の収容に伴ってトレー収容方向に移動し、フレキシブルケーブル４０の撓みを規制する規制部材７０を備えた光ディスク装置１である。【選択図】図３
2009289354.tif 000002
【特許請求の範囲】
【請求項１】
装着した光ディスクの情報記録面に対し、信号の記録、再生の少なくとも一方を行う光ディスク装置であって、
前記光ディスクを載置するトレーと、
前記光ディスクを載置したトレーを出し入れ可能に収容する筐体と、
可撓性を有し、湾曲部が形成されるよう折り返された状態で、一端が前記トレーに配設されている部品に接続され、他端が前記筐体に配設されている部品に接続されてなり、当該トレーが排出された際に、前記一端側が前記筐体から引出され、当該トレーが収容された際に、前記筐体に収容されるフレキシブルケーブルと、
前記トレーに配設されると共に、前記トレーの排出に伴ってトレー排出方向に移動し、当該トレーが所定量排出された際に前記筐体に係止され、当該トレーの収容に伴ってトレー収容方向に移動し、前記フレキシブルケーブルの撓みを規制する規制部材と、
を備えてなる光ディスク装置。
【請求項２】
前記規制部材は、前記トレーの出入方向に沿って配設される配設部と、配設部から延出し、前記フレキシブルケーブルに接触して当該フレキシブルケーブルの撓みを規制する規制アームと、を有し、
前記配設部は、トレー収容方向先端部に、当該配設部から突出する突出部が形成されてなり、
前記筐体は、前記配設部が移動する移動領域のトレー排出方向側に、前記突出部を係止可能な係止部が形成されてなり、
前記トレーが前記所定量排出された際に、前記突出部が前記係止部に係止され、前記規制部材のトレー排出方向への移動を停止する請求項１記載の光ディスク装置。
【請求項３】
前記規制部材は、前記トレーのトレー出入方向に平行な側壁近傍に配設されると共に、前記配設部のトレー排出方向先端部が、前記側壁に当接するよう、当該配設部のトレー排出方向先端部を屈曲させてなる請求項２記載の光ディスク装置。
【請求項４】
前記トレーの前記規制部材が配設される内壁に、前記配設部の屈曲部分に係脱可能に係合する係合部を形成してなり、
前記規制部材は、前記配設部の屈曲部分と前記係合部との係合により、前記トレーの排出に伴ってトレー排出方向に移動する請求項３記載の光ディスク装置。
【請求項５】
前記係合部は、前記トレーが前記筐体から前記所定量を超えて排出されるまで、前記配設部の屈曲部分に係合し、前記トレーが前記所定量を超えて排出された際に、当該係合を解除し、
前記トレーは、前記係合が解除された後、さらに前記筐体から排出される請求項４記載の光ディスク装置。
【請求項６】
前記規制部材は、前記トレーが前記筐体に収容される際に、前記配設部のトレー排出方向先端部が前記トレーの内壁に当接することで、当該トレーの収容に伴ってトレー収容方向に移動する請求項３ないし請求項５のいずれか一項に記載の光ディスク装置。
【請求項７】
前記規制部材は、前記トレーのトレー出入方向に平行な側壁近傍に配設されると共に、前記配設部のトレー収容方向先端部が、前記側壁に当接するよう、当該配設部のトレー収容方向先端部を屈曲させてなる請求項２ないし請求項６のいずれか一項に記載の光ディスク装置。
【請求項８】
前記規制部材は、前記トレーが前記筐体に収容される際に、前記配設部のトレー収容方向先端部が前記トレーの内壁に当接することで、当該トレーの収容に伴ってトレー収容方向に移動する請求項７記載の光ディスク装置。
【発明の詳細な説明】
【技術分野】
【０００１】
本発明は、装着した光ディスクの情報記録面に対し、信号の記録、再生の少なくとも一方を行う光ディスク装置に関する。
【背景技術】
【０００２】
従来、光ディスク装置として、例えば、光ディスクを搭載するトレーと、当該トレーに搭載された光ディスクをトレーと共に収容する筐体とを備え、当該光ディスクを搭載したトレーを前記筐体の厚さ方向と垂直な平面に沿って、当該筐体に対して出し入れ可能に構成したものが使用されている。このような構成の光ディスク装置は、通常、光ピックアップや、当該光ピックアップの送り機構、光ディスクを回転駆動する機構等が前記トレーに配設されており、前記筐体に配設されているプリント配線基板と、このトレーに配設されているプリント配線基板とが、フレキシブルケーブルにより電気的に接続された構成を備えている。
【０００３】
このような光ディスク装置では、前記フレキシブルケーブルは、略Ｕ字状に湾曲して折り返された状態で、前記トレーと筐体との間に位置しており、当該トレーの筐体に対する出し入れに伴って、前記フレキシブルケーブルの湾曲部が移動しながら筐体内に送り込まれるが、この時、前記フレキシブルケーブルが、トレーと筐体との間に挟み込まれる虞がある。
【０００４】
そこで、フレキシブルケーブルに当接する弾性変形可能なピンを、トレーの裏面側に配設し、トレーが筐体に挿入される際に、このピンによって、フレキシブルケーブルを押さえることで、当該フレキシブルケーブルの撓みを抑制し、トレーと筐体との間にフレキシブルケーブルが挟み込まれる（巻き込まれる）ことを防止する光ディスク装置が紹介されている。（例えば、特許文献１参照）。
【０００５】
また、一端に撓み規制片が形成され且つ他端にトレーを排出方向に付勢するコイルバネが装着されたスライドレバーを当該トレーの裏面に配設し、トレーが筐体に対し出し入れされる際に、前記撓み規制片によって、フレキシブルケーブルを押さえることで、当該フレキシブルケーブルの撓みを抑制し、トレーと筐体との間にフレキシブルケーブルが挟み込まれることを防止する光ディスク装置が紹介されている。（例えば、特許文献２参照）。
【特許文献１】特開２０００−２１１５５号公報
【特許文献２】特開２００１−６７８５９号公報
【発明の開示】
【発明が解決しようとする課題】
【０００６】
しかしながら、特許文献１に記載された光ディスク装置は、ピンの弾性変形力によってトレーが筐体に挿入される際にフレキシブルケーブルの撓みを抑制する構成であるが、前記トレーは、前記筐体に対し繰り返し出し入れされるため、ピンの弾性変形力が経時的に損なわれる虞がある。また、光ディスク装置の薄型化が進む程、フレキシブルケーブルの湾曲部が広範囲に広がるため、薄型化された光ディスク装置では、前記ピンだけでフレキシブルケーブルを押さえることが困難となる虞もある。
【０００７】
また、特許文献２に記載された光ディスク装置は、スライドレバー及びコイルバネにより、トレーを筐体から排出させるためのトレー付勢手段を構成すると共に、トレーの筐体に対する出し入れに連動したスライドレバーの動きにより、フレキシブルケーブルの撓みを抑制しているが、前記トレーは、筐体に対し繰り返し出し入れされるため、コイルバネの弾性変形力が経時的に損なわれる虞がある。また、コイルバネを配設する必要があり、部品点数が増加すると共に、組立工程が複雑となる。
【０００８】
本発明は、このような事情に鑑みなされたものであり、構造を複雑にすることなく、当該トレーが筐体に対し出し入れされる際に、トレーと筐体との間にフレキシブルケーブルが挟み込まれることを長期に亘って抑制することができる光ディスク装置を提供することを目的とする。
【課題を解決するための手段】
【０００９】
この目的を達成するため本発明は、装着した光ディスクの情報記録面に対し、信号の記録、再生の少なくとも一方を行う光ディスク装置であって、前記光ディスクを載置するトレーと、前記光ディスクを載置したトレーを出し入れ可能に収容する筐体と、可撓性を有し、湾曲部が形成されるよう折り返された状態で、一端が前記トレーに配設されている部品に接続され、他端が前記筐体に配設されている部品に接続されてなり、当該トレーが排出された際に、前記一端側が前記筐体から引出され、当該トレーが収容された際に、前記筐体に収容されるフレキシブルケーブルと、前記トレーに配設されると共に、前記トレーの排出に伴ってトレー排出方向に移動し、当該トレーが所定量排出された際に前記筐体に係止され、当該トレーの収容に伴ってトレー収容方向に移動し、前記フレキシブルケーブルの撓みを規制する規制部材と、を備えてなる光ディスク装置を提供するものである。
【発明の効果】
【００１０】
本発明にかかる光ディスク装置は、構造を複雑にすることなく、当該トレーが筐体に対し出し入れされる際に、トレーと筐体との間にフレキシブルケーブルが挟み込まれることを長期に亘って抑制することができる。
【発明を実施するための最良の形態】
【００１１】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１２】
図１は、本発明の実施の形態にかかる光ディスク装置からアッパーカバーを取外すと共に、筐体からトレー全体を排出させた状態を示す斜視図、図２は、図１に示す光ディスク装置の一部を拡大して示す斜視図、図３は、図１に示す光ディスク装置をボトムケース側から見た斜視図、図４は、図３に示す光ディスク装置の一部を拡大して示す斜視図、図５は、図１に示す光ディスク装置の筐体にトレー全体を収容させた状態を示す平面図であって、トレーの底面に配設されたプリント配線基板が見えるよう一部を切欠いて示す図、図６は、図５に示す光ディスク装置の一部を拡大して示す平面図、図７は、図１に示す光ディスク装置の構成要素である規制部材の斜視図、図８は、図７に示す規制部材を裏側から見た状態を示す斜視図である。なお、図１〜図８では、説明を判り易くするため、各部材の厚さやサイズ、拡大・縮小率等は、実際のものとは一致させずに記載した箇所がある。また、本実施の形態では、光ディスクが搭載される側を「上」、その反対側を「下」として説明する。
【００１３】
図１〜図６に示すように、本実施の形態にかかる光ディスク装置１は、光ディスクを載置するトレー１０と、光ディスクを載置したトレー１０を出し入れ可能に収容する筐体５０とを備えている。トレー１０の底面１４であって、トレー収容方向に向かって左側且つトレー収容方向端部には、プリント配線基板２２が配設されている。このプリント配線基板２２のトレー収容方向先端部には、コネクタ２１等の電子部品が実装されている。また、筐体５０の底面５４のトレー収容方向端部には、プリント配線基板６２が配設されており、このプリント配線基板６２のトレー排出方向先端部であって、コネクタ２１と対向する位置には、コネクタ６１等の電子部品が実装されている。そして、トレー１０と筐体５０は、一端がコネクタ２１に装着され、他端がコネクタ６１に装着されたフレキシブルケーブル４０によって電気的に接続され、両者間で制御・信号処理の情報が受け渡しされるようになっている。
【００１４】
フレキシブルケーブル４０は可撓性を有し、一端がコネクタ２１に装着された状態で、湾曲部４１が形成されるよう折り返されており、他端側が筐体５０の底面５４に固定され且つ当該他端の先端がコネクタ６１に装着されている。この湾曲部４１は、トレー１０と筐体５０との間に撓んだ状態で跨って位置し、トレー１０の出し入れに伴って位置を変え、トレー１０が筐体５０から排出された（引出された）際には、筐体５０内から引出され、トレー１０が筐体５０内に収容された際には、筐体５０に収容される（押し込まれる）よう移動する構成となっている。
【００１５】
筐体５０は、ボトムケース５５と、アッパーカバー５６（図１５〜図１８等参照）とを有している。この筐体５０のトレー排出方向の端面は、トレー１０を出し入れするための開口となっている。また、筐体５０のトレー出入方向と平行な両側壁５１Ａ及び５１Ｂには、後に詳述するトレー１０に形成されたガイドレール１１Ａ及び１１Ｂを移動可能に支持する支持レール５２Ａ及び５２Ｂが形成されている。さらに、筐体５０の底面５４であって、後に詳述する規制部材７０の配設部７１が移動する移動領域のトレー排出方向側（側壁５１Ａ側のトレー排出方向先端部）には、配設部７１のトレー収容方向側先端に形成された突出部７３を係止し、規制部材７０がトレー排出方向に移動することを阻止する係止部５３が形成されている。また、筐体５０には、トレー１０の排出を行うための図示しない排出機構が配設されている。
【００１６】
トレー１０は、トレー出入方向と平行な両側壁に、トレー１０の出し入れをガイドするためのガイドレール１１Ａ及び１１Ｂが各々形成されている。これらのガイドレール１１Ａ及び１１Ｂは、筐体５０に形成された支持レール５２Ａ及び５２Ｂに、トレー出入方向に移動可能に支持されている。トレー１０のトレー排出方向先端面は、筐体５０のトレー排出方向に形成された開口を塞ぐ蓋部１９となっており、この蓋部１９には、トレー１０を筐体５０内から排出するためのイジェクトボタン２０が配設されている。また、トレー１０の底面１４の上部には、光ディスクが装着される光ディスク装着部１２が形成されており、この光ディスク装着部１２の外周の一部は、光ディスクの形状に合わせた略円形状となっている。この光ディスク装着部１２には開口１３が設けられており、この開口１３には、後述するユニットメカ１５が固定されている。さらに、このトレー１０には、筐体５０への収納状態を保持する図示しないロック機構が配設されている。なお、後述する図１５〜図１８、図２１及び図２２に示す符号２８は、ボトムカバーである。
【００１７】
ユニットメカ１５は、光ディスク装着部１２に搭載された光ディスクを回転駆動させるためのスピンドルモータ１６と、光ディスクの情報記録面に情報の記録を行う及び／または光ディスクの情報記録面に記録された情報の再生を行う光ピックアップ１７と、搭載された光ディスクの径方向に光ピックアップ１７を移動可能に支持する一対のガイドシャフト１８Ａ及び１８Ｂと、が配設されている。スピンドルモータ１６の回転軸の光ディスク装着部１２側の先端には、光ディスクの中心孔に挿入され、光ディスクの径方向の移動を規制するクランパ２９が配設されており、光ディスク装着部１２に搭載された光ディスクは、このクランパ２９によってチャッキングされ、回転駆動される。光ピックアップ１７のスピンドルモータ１６から離れた側の端部には、フレキシブルケーブル２７の一端が電気的に接続された状態で固定されており、このフレキシブルケーブル２７の他端は、プリント配線基板２２に電気的に接続されている。
【００１８】
トレー１０の底面１４であって、トレー出入方向に平行であり且つプリント配線基板２２が配設されている側に位置する側壁３１の内側近傍には、トレー１０の出し入れに伴ってフレキシブルケーブル４０の撓みを規制する規制部材７０が配設されている。この規制部材７０は、特に図７及び図８に示すように、トレー１０の出入方向に沿って配設される配設部７１と、配設部７１から側壁３１と離れる方向に向けて延出し、フレキシブルケーブル４０に接触してフレキシブルケーブル４０の撓みを規制する規制アーム７２とを有している。
【００１９】
配設部７１のトレー収容方向先端７７には、下方に向けて突出した突出部７３が形成されており、配設部７１のトレー排出方向先端部には、トレー排出方向先端７４が側壁３１に当接するよう、側壁３１と離れる方向に突出した状態で屈曲された屈曲部７５が形成されている。また、配設部７１の規制アーム７２が配設されている位置と、トレー収容方向先端までの間の部分のほぼ中央部には、配設部７１のトレー収容方向先端７７が側壁３１に当接するよう、側壁３１と離れる方向に突出した状態で屈曲された屈曲部７６が形成されている。そして、この規制部材７０は、特に図６に拡大して示すように、トレー排出方向先端７４及びトレー収容方向先端７７が側壁３１に当接した状態で、側壁３１と、トレー１０の底面１４に形成された当接部３２及び３３との間に配設されている。なお、当接部３２及び３３は、配設部７１に当接し、規制部材７０が側壁３１から離れる方向に移動することを阻止している。
【００２０】
また、側壁３１の規制部材７０に形成された屈曲部７５と対向する位置には、屈曲部７５によって確定される凹部に係脱可能に係合する係合部３５が形成されている。この係合部３５は、屈曲部７５に向けて、平面視で略半円形に突出した形状を有しており、屈曲部７５と係合部３５が係合することにより、トレー１０が筐体５０から排出される際に、規制部材７０は、トレー１０と共にトレー排出方向に移動するようになっている。
【００２１】
次に、本実施の形態にかかる光ディスク装置１において、筐体５０に対するトレー１０の出し入れに伴うフレキシブルケーブル４０と規制部材７０との具体的動作について図面を参照して説明する。
【００２２】
図９、図１１、図１３は、本実施の形態にかかる光ディスク装置の筐体からトレーが排出される様子を段階的に示す平面図、図１０、図１２、図１４は、図９、図１１、図１３に示す光ディスク装置の一部を、各々拡大して示す平面図、図１５〜図１８は、本実施の形態にかかる光ディスク装置の筐体からトレーが排出される様子を段階的に簡略化して示す断面図、図１９及び図２０は、本実施の形態にかかる光ディスク装置の筐体にトレーが収容される様子の一部を拡大して段階的に示す平面図、図２１及び図２２は、本実施の形態にかかる光ディスク装置の筐体にトレーが収容される様子を段階的に簡略化して示す断面図である。なお、図１５〜図１８、図２１及び図２２では、部品間の関係を分かりやすくするため、トレー及びこれに配設されている各部品は、側面図として記載してある。
【００２３】
図５、図６及び図１５に示すように、筐体５０内にトレー１０全体が収容されている際は、トレー１０に配設されている図示しないロック機構により、トレー１０の筐体５０への収納状態が保持されている。この時、フレキシブルケーブル４０は、特に図１５に示すように、コネクタ２１に接続されている端部に近い位置で折り返されて、ここに湾曲部４１が形成された状態でトレー１０と共に筐体５０内に収容されている。この状態では、湾曲部４１は、コネクタ６１に接近した位置にあり、湾曲部４１の上部がトレー１０に接触することで、フレキシブルケーブル４０の上方への膨らみ（撓み）が抑制されている。また、規制部材７０は、側壁３１と、当接部３２及び３３との間に位置し、トレー排出方向先端７４及びトレー収容方向先端７７が側壁３１に当接しており、屈曲部７５によって確定される凹部に係合部３５が係合した状態で、トレー１０に配設されている。この時、規制部材７０は、筐体５０のトレー収容方向端部に位置しており、規制アーム７２が湾曲部４１の内側近傍であって、フレキシブルケーブル４０のコネクタ２１に接続されている端部と湾曲部４１との間となる部分よりも下方に位置している。
【００２４】
筐体５０からトレー１０を排出させるには、イジェクトボタン２０を押すと、前記ロック機構によるトレー１０のロックが解除され、筐体５０に配設されている図示しない排出機構により、トレー１０の排出が開始される。具体的には、図９、図１０及び図１６に示すように、スピンドルモータ１６が筐体５０から排出される程度までトレー１０が排出された際は、特に図１６に示すように、フレキシブルケーブル４０のコネクタ２１に接続されている端部側がトレー１０と共にトレー排出方向に移動する。この移動に伴って、湾曲部４１の位置が、コネクタ２１に接続されている端部に近い位置からフレキシブルケーブル４０の中央寄り（図１５に示す位置よりもコネクタ２１から遠い位置）に移動すると共に、コネクタ６１に対しトレー排出方向に遠ざかる。この状態では、フレキシブルケーブル４０のコネクタ２１に接続されている端部と湾曲部４１との間がトレー１０に接触することで、フレキシブルケーブル４０の上方への膨らみ（撓み）が抑制されている。また、フレキシブルケーブル４０のコネクタ２１に接続されている端部と湾曲部４１との間となる部分よりも下方には、規制アーム７２が位置しているため、仮に、フレキシブルケーブル４０が下方に膨んで撓もうとしても、この撓みは、規制アーム７２によって抑制される。また、規制部材７０は、屈曲部７５と係合部３５との係合により、トレー１０の排出に伴って、筐体５０に対しトレー排出方向に移動する。
【００２５】
次に、図１１、図１２及び図１７に示すように、トレー１０の大部分が筐体５０から排出された際は、特に図１７に示すように、フレキシブルケーブル４０のコネクタ２１に接続されている端部側がトレー１０と共にさらに移動する。この移動に伴って、湾曲部４１の位置が、さらにフレキシブルケーブル４０の中央寄りに移動すると共に、コネクタ６１に対しトレー排出方向にさらに遠ざかる。この状態では、フレキシブルケーブル４０のコネクタ２１に接続されている端部と湾曲部４１との間となる部分がトレー１０に接触しているが、湾曲部４１は、アッパーカバー５６に接触する、あるいは、アッパーカバー５６の近傍まで撓んでいる。また、仮に、フレキシブルケーブル４０が下方に膨んで撓もうとしても、この撓みは、規制アーム７２によって抑制される。この規制部材７０は、トレー１０の排出に伴って、筐体５０に対しトレー排出方向にさらに移動する。
【００２６】
図１１、図１２及び図１７に示す状態から、さらにトレー１０を排出させると、規制部材７０は、トレー１０の排出に伴って、筐体５０に対しトレー排出方向にさらに移動し、突出部７３が、筐体５０に形成されている係止部５３に当接して係止される。この係止により、規制部材７０のトレー排出方向への移動が停止する。この状態からさらにトレー１０を排出させると、図１３、１４及び図１８に示すように、規制部材７０の屈曲部７５から係合部３５が外れ、両者の係合が解除される。このように、係合部３５は、トレー１０が筐体５０から所定量を超えて排出されるまで屈曲部７５に係合し、トレー１０がこの所定量を超えて排出された際に屈曲部７５との係合を解除する。トレー１０は、この係合が解除された後、さらに筐体５０から最終位置まで排出される。この時、規制部材７０は、既に移動を停止しているため、トレー１０が最終位置まで排出された際に、フレキシブルケーブル４０の下方に膨らみやすい部分に接触するよう、規制アーム７２を位置させることができる。
【００２７】
一方、フレキシブルケーブル４０は、トレー１０と共にコネクタ２１に接続されている端部側がさらに引出される。この時、湾曲部４１は、筐体５０の内部のトレー排出方向端部に位置しており、この湾曲部４１は、アッパーカバー５６に接触する、あるいは、アッパーカバー５６の近傍まで撓んだ状態となっている。また、フレキシブルケーブル４０のコネクタ２１に接続されている端部と湾曲部４１との間となる部分は、下方に向けて撓もうとするが、この部分は、規制アーム７２によって、下方に膨んで撓まないように、撓みが規制されている。この時、規制アーム７２は、フレキシブルケーブル４０のコネクタ２１に接続されている端部から湾曲部４１までの間のほぼ中間に位置しており、フレキシブルケーブル４０の下方に膨らみやすい部分に接触するため、フレキシブルケーブル４０が下方に膨んで撓むことを確実に抑制することができる。
【００２８】
次に、図１３、１４及び図１８に示す状態から、トレー１０を筐体５０に収容させる際は、トレー１０を筐体５０に向けて押し込むと、図１９及び図２１に示すように、規制部材７０は、トレー排出方向先端７４及びトレー収容方向先端７７が側壁３１に当接されているため、トレー１０の移動に伴って、トレー収容方向に移動する。この規制部材７０の移動は、トレー１０の移動よりも若干遅いため、トレー排出方向先端７４が係合部３５に徐々に近づくことになる。
【００２９】
一方、フレキシブルケーブル４０は、このトレー１０の移動に伴って、トレー１０のコネクタ２１に接続されている端部がトレー収容方向に移動し、その可撓性から、コネクタ２１に接続されている端部と湾曲部４１との間となる部分と、湾曲部４１が、上下方向に撓もうとするが、このフレキシブルケーブル４０の下方への撓みは、フレキシブルケーブル４０が規制アーム７２に接触することによって抑制することができる。この時、前述したように、規制部材７０は、トレー１０及びフレキシブルケーブル４０の移動に伴って移動するため、規制アーム７２は、フレキシブルケーブル４０のコネクタ２１に接続されている端部から湾曲部４１までの間のほぼ中間に位置した状態で移動することになり、フレキシブルケーブル４０が下方に膨んで撓むことを確実に抑制することができる。また、フレキシブルケーブル４０の上方への撓みは、フレキシブルケーブル４０がアッパーカバー５６、あるいは、トレー１０に接触することによって抑制することができる。このため、トレー１０が筐体５０に収容される際に、フレキシブルケーブル４０がトレー１０と筐体５０との間に挟み込まれることを抑制することができる。
【００３０】
図１９及び図２１に示す状態から、トレー１０を筐体５０に向けてさらに押し込むと、図２０及び図２２に示すように、規制部材７０は、規制アーム７２によって、フレキシブルケーブル４０の下方への撓みを効果的に抑制しながら、トレー１０の移動に伴って、トレー収容方向に移動する。この移動により、規制部材７０のトレー排出方向先端７４が係合部３５にさらに近づく。一方、フレキシブルケーブル４０は、この規制部材７０の移動は、トレー１０の移動よりも若干遅いため、トレー排出方向先端７４が係合部３５に徐々に近づくことになる。下方への撓みが規制アーム７２によって抑制され、上方への撓みがアッパーカバー５６あるいは、トレー１０に接触することによって抑制されながら、筐体５０内に収容される。さらにトレー１０を筐体５０に向けてさらに押し込むことで、規制部材７０の屈曲部７５に係合部３５が係合する。また、ロック機構により、トレー１０が筐体５０にロックされ、図５、図６及び図１５に示すように、トレー１０の筐体５０への収納状態が保持される。
【００３１】
このように、本発明にかかる光ディスク装置１は、規制部材７０は、トレー１０の出し入れに伴って移動する構成を備えているため、規制部材７０を移動させるための部品を別途配設する必要がなく、構造が簡単であると共に、繰り返し使用してもフレキシブルケーブル４０の撓みの抑制を長期に亘って確実に行うことができる。したがって、トレー１０を筐体５０に対し出し入れする際に、フレキシブルケーブル４０がトレー１０と筐体５０との間に挟み込まれることを長期に亘って抑制することができ、信頼性の高い光ディスク装置１を提供することができる。
【００３２】
なお、本実施の形態では、規制部材７０に屈曲部７５を形成し、屈曲部７５と係合部３５とを係合させることで、トレー１０のトレー排出方向への移動に伴って、規制部材７０を移動させる構成とした場合について説明したが、これに限らず、規制部材７０は、例えば、トレー排出方向先端７４と側壁３１との当接力、トレー収容方向先端７７と側壁３１との当接力等を調整することにより、トレー１０のトレー排出方向への移動に伴って、移動するようにしてもよい。
【００３３】
また、本実施の形態では、トレー１０がトレー収容方向に移動する際に、トレー排出方向先端７４及びトレー収容方向先端７７の両者を側壁３１に当接させることで、トレー１０の移動に伴って、規制部材７０を移動させる場合について説明したが、これに限らず、規制部材７０は、例えば、トレー排出方向先端７４と側壁３１との当接力を調整することにより、トレー収容方向先端７７と側壁３１とを当接させずに、トレー排出方向先端７４を側壁３１に当接させることで、トレー１０の移動に伴って移動するようにしてもよい。また、規制部材７０は、例えば、トレー収容方向先端７７と側壁３１との当接力を調整することにより、トレー排出方向先端７４と側壁３１とを当接させずに、トレー収容方向先端７７を側壁３１に当接させることで、トレー１０の移動に伴って移動するようにしてもよい。
【図面の簡単な説明】
【００３４】
【図１】本発明の実施の形態にかかる光ディスク装置からアッパーカバーを取外すと共に、筐体からトレー全体を排出させた状態を示す斜視図である。
【図２】図１に示す光ディスク装置の一部を拡大して示す斜視図である。
【図３】図１に示す光ディスク装置をボトムケース側から見た斜視図である。
【図４】図３に示す光ディスク装置の一部を拡大して示す斜視図である。
【図５】図１に示す光ディスク装置の筐体にトレー全体を収容させた状態を示す平面図であって、トレーの底面に配設されたプリント配線基板が見えるよう一部を切欠いて示す図である。
【図６】図５に示す光ディスク装置の一部を拡大して示す平面図である。
【図７】図１に示す光ディスク装置の構成要素である規制部材の斜視図である。
【図８】図７に示す規制部材を裏側から見た状態を示す斜視図である。
【図９】本実施の形態にかかる光ディスク装置の筐体からトレーが排出される様子の途中の段階を示す平面図である。
【図１０】図９に示す光ディスク装置の一部を拡大して示す平面図である。
【図１１】本実施の形態にかかる光ディスク装置の筐体からトレーが排出される様子の途中の段階を示す平面図である。
【図１２】図１１に示す光ディスク装置の一部を拡大して示す平面図である。
【図１３】本実施の形態にかかる光ディスク装置の筐体からトレーが排出される様子の途中の段階を示す平面図である。
【図１４】図１３に示す光ディスク装置の一部を拡大して示す平面図である。
【図１５】本実施の形態にかかる光ディスク装置の筐体からトレーが排出される様子の途中の段階を簡略化して示す断面図である。
【図１６】本実施の形態にかかる光ディスク装置の筐体からトレーが排出される様子の途中の段階を簡略化して示す断面図である。
【図１７】本実施の形態にかかる光ディスク装置の筐体からトレーが排出される様子の途中の段階を簡略化して示す断面図である。
【図１８】本実施の形態にかかる光ディスク装置の筐体からトレーが排出される様子の途中の段階を簡略化して示す断面図である。
【図１９】本実施の形態にかかる光ディスク装置の筐体にトレーが収容される様子の途中の段階を、その一部を拡大して示す平面図である。
【図２０】本実施の形態にかかる光ディスク装置の筐体にトレーが収容される様子の途中の段階を、その一部を拡大して示す平面図である。
【図２１】本実施の形態にかかる光ディスク装置の筐体にトレーが収容される様子の途中の段階を簡略化して示す断面図である。
【図２２】本実施の形態にかかる光ディスク装置の筐体にトレーが収容される様子の途中の段階を簡略化して示す断面図である。
【符号の説明】
【００３５】
１…光ディスク装置、  １０…トレー、  １５…ユニットメカ、  ２１、６１…コネクタ、  ２２、６２…プリント配線基板、  ３１…側壁、  ３５…係合部、  ４０…フレキシブルケーブル、  ４１…湾曲部、  ５０…筐体、  ５３…係止部、  ７０…規制部材、７２…規制アーム、  ７３…突出部、  ７５、７６…屈曲部
【図１】
2009289354.tif 000003
【図２】
2009289354.tif 000004
【図３】
2009289354.tif 000005
【図４】
2009289354.tif 000006
【図５】
2009289354.tif 000007
【図６】
2009289354.tif 000008
【図７】
2009289354.tif 000009
【図８】
2009289354.tif 000010
【図９】
2009289354.tif 000011
【図１０】
2009289354.tif 000012
【図１１】
2009289354.tif 000013
【図１２】
2009289354.tif 000014
【図１３】
2009289354.tif 000015
【図１４】
2009289354.tif 000016
【図１５】
2009289354.tif 000017
【図１６】
2009289354.tif 000018
【図１７】
2009289354.tif 000019
【図１８】
2009289354.tif 000020
【図１９】
2009289354.tif 000021
【図２０】
2009289354.tif 000022
【図２１】
2009289354.tif 000023
【図２２】
2009289354.tif 000024